(57)【要約】【課題】容易に把持部材を櫛本体部から取り外すことができ、また嵌合部材が破損し難く、櫛本体部材の把持部材に対するぐらつきを少なくする。【解決手段】櫛本体部材１と把持部材２は、それぞれ合成樹脂により一体成型されて成り、可撓性を有する。櫛本体部材１の一端１ａは、把持部材２の受け部７に嵌合する嵌合部４と、この嵌合部４が受け部７に嵌合したときに把持部材２に設けられている係止部に係止して前記一端１ａの把持部材２から抜け出る方向への移動を阻止するストッパ５とから成る。把持部材２は偏平かつ細長く、受け部７に嵌合部４が嵌合したときには櫛本体部材１と同一の方向に偏平である。把持部材２の１対の幅広面の一方であって把持部材２の一端近傍に設けられた押圧部８が把持部材２の内側に押圧されるとストッパ５と前記係止部との係止は解除される。【選択図】  図１
2004313581.tif 000002
【特許請求の範囲】
【請求項１】
複数の櫛歯を有する櫛歯部を備え全体に偏平な櫛本体部材と、
この櫛本体部材の一端が抜き差しされる受け部を一端に有する把持部材とを備え、
前記櫛本体部材と前記把持部材は、それぞれ合成樹脂により一体成型されて成り、可撓性を有し、
前記櫛本体部材の前記一端は、前記把持部材の受け部に嵌合する嵌合部と、この嵌合部が前記受け部に嵌合したときに前記把持部材に設けられている係止部に係止して前記櫛本体部材の前記一端が前記把持部材から抜け出る方向に移動することを阻止するストッパとから成り、
前記把持部材は偏平でかつ細長く、前記受け部に前記嵌合部が嵌合したときには前記櫛本体部材と同一の方向に偏平であり、
前記把持部材の１対の幅広面の一方であって前記把持部材の前記一端近傍に押圧部が形成されており、この押圧部が前記把持部材の内側に押圧されると前記ストッパを押圧してこのストッパと前記係止部との係止を解除することを特徴とする櫛。
【請求項２】
前記嵌合部は枠状であって、その一辺は前記櫛本体部材の櫛歯部の一端に設けられ、
前記ストッパは、前記嵌合部の前記一辺の内側面から突出し前記嵌合部に囲まれる舌片と、この舌片の一方の面に設けられ前記係止部に係止される突起とから成ることを特徴とする請求項１に記載の櫛。
【発明の詳細な説明】
【０００１】
【発明の属する技術分野】
本発明は、櫛歯部を有する櫛本体部材と、この櫛本体部材に対し着脱自在の把持部材とから成る櫛に関する。
【０００２】
【従来の技術】
櫛本体部材に対し把持部材が着脱自在となる櫛は、携帯、搬送および保管する場合に、小形化できるのできわめて有用である。
【０００３】
図８は、この種の従来の櫛であって櫛本体部材２０と把持部材２１が分離した状態を示し、図９は、櫛本体部材２０に把持部材２１を装着した状態を示す。櫛本体部材２０と把持部材２１はいずれも合成樹脂により一体成型されて成り、可撓性を有する。
【０００４】
櫛本体部材２０は、全体に偏平である。この櫛本体部材２０に着脱される把持部材２１も同様に偏平である。そしてこの櫛を使用する場合、把持部材２１を櫛本体部材２０の一端に装着し、把持部材２１を手に持つ。このとき通常は図１０に示すように把持する。すなわち、親指の腹が把持部材２１の一方の幅広面を押さえ、他の４指で把持部材２１を他方の幅広面側から一方の幅広面側へ巻回するようにして支持する。なぜなら、把持部材は偏平な棒状であって、このように把持すると櫛歯部に力を加えやすいからである。
【０００５】
このような従来の櫛において、櫛本体部材２０に対する把持部材２１の着脱のための構造は、図８に示すように、櫛本体部材２０の一端に１対の嵌合部２２を備え、これらの嵌合部２２が把持部材２１に設けられた受け部２３に嵌合するようにされている。この嵌合部２２は、櫛本体部材２０の一端において突出した２本の棒状突起である。１対の嵌合部２２は、それぞれ先端に外側に膨らんだ形状のストッパ兼押圧部２４を有している。それぞれのストッパ兼押圧部２４の最も外側の面の相互の距離は、受け部２３の内部の両側面の間の距離より大きく形成されている。このため、嵌合部２２が受け部２３に挿入されると、各ストッパ兼押圧部２４の最も外側の面は受け部２３の内壁側面、すなわち、把持部材２１の両側面の内側を弾力的に押圧しながら進む。
【０００６】
そして、嵌合部２の先端部のストッパ兼押圧部２４が、把持部材２１の両側面の相対向する位置に設けられた１対の孔部２５から現れると、図９に示すようになり、ストッパ兼押圧部２４は、孔部２５の壁面に係止され、櫛本体部材２０が、もとに戻る方向に移動するのを阻止される（例えば、特許文献１参照）。
【０００７】
このような櫛を使用する場合、上記のように図１０に示した持ち方で使用する。次に、把持部材２１を櫛本体部材２０から取り外すとき、図１１に示すように一方の手の親指と人差し指で２つのストッパ兼押圧部２４を挟み、それらを互いに近接する方向に押して、把持部材２１に対する嵌合部２２の係止を解除し、そして他方の手で櫛本体部材２０を引き抜いていた。
【０００８】
すなわち、ストッパ兼押圧部２４は、把持部材２１の側面側に現れるので、把持部材２１を櫛本体部材２０から取り外す場合、使用時の状態から持ち替える必要がある。したがって櫛を使用する者にとって、このような把持部材２１の取り外し操作は、煩雑であった。
【０００９】
また、従来は、把持部材２１の受け部２３に嵌合する嵌合部２２は、上記のように２本の棒状突起をそれぞれ独立に突出させた構造であった。なぜなら、それぞれの嵌合部２２はストッパ兼押圧部２４を備え、把持部材２１に対して係止および係止解除する手段も兼ねるので、それぞれが互いに離間、近接する方向に弾力的に変形できるようにする必要があるからである。
【００１０】
このため、嵌合部２２を一体化して破損し難い強固な構造とすることができないし、また嵌合部２２が上記のような変形を起こすような外力を与えられると、すなわち櫛本体部材２０が把持部材２１を装着された状態で、図１０に示す矢印の方向の外力を与えられると、櫛本体部材２０は把持部材２１に対しぐらつきやすいという欠点があった。
【００１１】
【特許文献１】
特開２０００−２３４６０６号公報（第３−５頁、第１、２、５図）
【００１２】
【発明が解決しようとする課題】
このように従来は、把持部材を櫛本体部材から取り外す時に持ち替えることが必要で、取り外しが簡単でないという欠点があった。
【００１３】
また、嵌合部を形成する２つの棒状突起は把持部材に対して係止および係止解除する手段も兼ねていたので、嵌合部を一体化して強固な構造とすることができないし、弾力性を備える必要があるため、櫛本体部材は把持部に対してぐらつきやすいという欠点があった。
【００１４】
本発明は、このような従来の欠点に鑑みなされたもので、その目的は、容易に把持部材を櫛本体部から取り外すことができ、また嵌合部が破損し難い強固な構造であり、櫛本体部材の把持部に対するぐらつきが少ない櫛を提供することである。
【００１５】
【課題を解決するための手段】
請求項１に係る発明は、複数の櫛歯を有する櫛歯部を備え全体に偏平な櫛本体部材と、この櫛本体部材の一端が抜き差しされる受け部を一端に有する把持部材とを備え、前記櫛本体部材と前記把持部材は、それぞれ合成樹脂により一体成型されて成り、可撓性を有し、前記櫛本体部材の前記一端は、前記把持部材の受け部に嵌合する嵌合部と、この嵌合部が前記受け部に嵌合したときに前記把持部材に設けられている係止部に係止して前記櫛本体部材の前記一端が前記把持部材から抜け出る方向に移動することを阻止するストッパとから成り、前記把持部材は偏平でかつ細長く、前記受け部に前記嵌合部が嵌合したときには前記櫛本体部材と同一の方向に偏平であり、前記把持部材の１対の幅広面の一方であって前記把持部材の前記一端近傍に押圧部が形成されており、この押圧部が前記把持部材の内側に押圧されると前記ストッパを押圧してこのストッパと前記係止部との係止を解除することを特徴とする。
【００１６】
このような櫛において、把持部材が装着された櫛本体部材から把持部材を取り外すときは、把持部材の幅広面の一方に設けられた押圧部を押圧すれば良いので、通常の使用時の持ち方をほとんど変えずにストッパの係止を解除することができる。
【００１７】
請求項２に係る発明は、請求項１に係る発明において、前記嵌合部は枠状であって、その一辺は前記櫛本体部材の櫛歯部の一端に設けられ、前記ストッパは、前記嵌合部の前記一辺の内側面から突出し前記嵌合部に囲まれる舌片と、この舌片の一方の面に設けられ前記係止部に係止される突起とから成ることを特徴とする。
【００１８】
このような櫛において、嵌合部は枠状であるので、破損し難く、強固である。また、嵌合部は特に弾力的に変形する構造とする必要がないので、把持部材に対する櫛本体部のぐらつきを少なくすることができる。
【００１９】
【発明の実施の形態】
図１は、本発明の実施の形態の櫛を示し、櫛本体部材１に把持部材２を装着する前の状態を示し、図２は、櫛本体部材１に把持部材２を装着した状態を示している。
【００２０】
次に、櫛本体部材１と把持部材２のそれぞれについて詳細に説明する。図３は、櫛本体部材１を示したものであり、（ａ）は上面図、（ｂ）は正面図、（ｃ）は底面図、（ｄ）は左側面図、（ｅ）は右側面図である。櫛本体部材１は合成樹脂で一体に成型されて成り、可撓性を有する。櫛本体部材１は両側面にそれぞれ複数の櫛歯を有する櫛歯部３を備えている。櫛本体部材１の一端１ａは、後述する把持部材２の受け部に嵌合する嵌合部４と、この嵌合部４が前記受け部に嵌合したときに把持部材２に設けられている係止部に係止して櫛本体部材１が把持部材２から抜け出る方向に移動することを阻止するストッパ５とから成る。
【００２１】
嵌合部４は、基端側の一辺４ｂが櫛歯部３の根元部分３ａに取り付けられた矩形の枠状である。枠状の嵌合部４の先端側の一辺４ａは、他の辺よりも薄く形成されている。
【００２２】
ストッパ５は、嵌合部４の基端側の一辺４ｂの内側面から先端側の一辺４ａに向けて突出しこの嵌合部４により囲まれた舌片５ａと、その舌片５ａの正面側の面に設けられた突起５ｂとから成る。
【００２３】
このように、櫛本体部材１の一端１ａは、嵌合部４とストッパ５とから成り、この一端１ａ全体では櫛歯部３よりも幅は狭く、厚さが薄いが櫛歯部３と同様の方向に偏平である。
【００２４】
図４は、把持部材２を詳細に示したものであり、（ａ）は上面図、（ｂ）は正面図、（ｃ）は側面図、（ｄ）は側面図の一部を拡大した拡大図である。把持部材２は合成樹脂で一体に成型されて成り、可撓性を有する。
【００２５】
把持部材２は、偏平で細長い形状であり、表裏となる１対の幅広面２ａ，２ｂを有する。また把持部材２は、下方に行くにしたがって細くなっており、下方端では尖鋭な形状になっている。把持部材２の表面全体にわたって、上端から下端の方向に等間隔に、複数のリングが嵌められた形状となる複数のリング状凸部６が形成されている。このリング状凸部６は、把持部材２を持ったときに手が滑り難くするためのものである。把持部材２の上方端側には、その端面に開口部７ａを有する所定深さの空洞が設けられている。この空洞が受け部７を形成し、ここに櫛本体部材１の一端１ａが挿入され、櫛本体部材１の嵌合部４が嵌合する。
【００２６】
さらに把持部材２は、その上端近傍であって一方の幅広面２ａに、押圧部８が設けられている。押圧部８は、把持部材２の幅広面２ａにおいて、コの字状の切抜き部分９によって形成された舌片である。押圧部８の先端は、把持部材２の上端側にあり、その先端に突起部８ａが設けられている。突起部８ａの表面には、「おす」の文字が付されており、この櫛を使用する者が、櫛本体部材１から把持部材２を取り外すときに、押圧部８の押すべき場所を示している。
【００２７】
また、押圧部８の裏側面の両側部に壁部８ｂが突設されている。したがって、押圧部８の横断面は、図４（ａ）に示すようにコの字状である。さらに、把持部材２の開口部７ａ周辺において、前記一方の幅広面２ａと前記受け部７の空洞との間の把持部材２の厚さが、その開口部７ａに向かって薄くなるようにテーパ７ｃが形成されている（図４（ｄ））。
【００２８】
次に、櫛本体部材１に把持部材２を装着する場合について説明する。
まず、この装着時においては、図１に示すように、櫛本体部１の一端１ａ近傍の一方の面に付された矢印Ａと、把持部材２の上端部近傍であって前記一方の幅広面２ａに付された矢印Ｂが向き合うようにして装着する。すなわち櫛本体部材１に把持部材２を装着したときに、これらの矢印が付された面が同じ面側にあるようにする。このようにして、櫛本体部材１の一端１ａを把持部材２の受け部７に挿入すれば、把持部材２を櫛本体部材１に対し、所定の装着状態に至るようにすることができる。
【００２９】
図５（ａ）は、櫛本体部１の一端１ａを把持部材２の受け部７に挿入する前の状態の要部を示し、図５（ｂ）は、それを櫛本体部材１および把持部材２の縦断面図で示したものである。
【００３０】
次に、図６に基づいて、櫛本体部材１に対する把持部材２の装着を説明する。図６（ａ）に示すように、櫛本体部材１の一端１ａが把持部材２の受け部７に挿入されると、櫛本体部１の嵌合部４は受け部２の内側壁面を摺動しながら奥に進む。このときストッパ５の舌片５ａは撓み、突起５ｂは把持部材２に設けられているテーパ７ｃを摺動しながら奥に進む。そして、図６（ｂ）に示すように、ストッパ５の舌片５ａの先端は押圧部８の両壁部８ｂの間に入り、ストッパ５の突起５ｂは切抜き部分９の中間部分９ａに突出する位置にくる。このとき、把持部材２の上端部は櫛本体部材１の櫛歯部３の根元部分３ａに当接し、櫛本体部材１がさらに把持部材２側に進むことを阻止する。
【００３１】
一方、切抜き部分９の中間部分９ａには、上記のようにストッパ５の突起５ｂが入り込んでおり、櫛本体部材１が把持部材２から引き出される方向に移動しようとすると、この突起５ｂは把持部材２の切抜き部分９の中間部分９ａの壁面に当接し係止される。このため櫛本体部材１のその方向への移動が阻止される。すなわち、この中間部分９ａの壁面がストッパ５に対する係止部１０となる。
【００３２】
次に、櫛本体部材１が把持部材２に装着された櫛を使用するときは、把持部材２を図７に示すように持つ。すなわち従来例の櫛において説明した持ち方と同様の持ち方で櫛の把持部材２を持つ。
【００３３】
この状態で、親指の腹が押圧部８を押圧したとしても、通常の使用中において押圧部８にかかる力の程度では、ストッパ５の突起５ｂと係止部１０の係止が解除されない程度に撓むように押圧部８とストッパ５の舌片５ｂは構成されている。
【００３４】
次に、櫛本体部材１から把持部材２を取り外す場合について説明する。
櫛を持っている方の手の親指の腹を押圧部８の突起８ａに位置させ、図６（ｃ）に示すように、押圧部８の突起８ａに力を加える。なお、このときすでに親指の腹が押圧部８の先端近傍にあればそのまま位置で押圧部８の突起８ａに力を加える。これにより、押圧部８は撓み、ストッパ５の舌片５ａは押圧部８に押圧される。このため舌片５ａは撓み、突起５ｂと係止部１０との係止は解除される。そしてもう一方の手で櫛本体部材１を掴み、把持部材２を離間させる方向に引張ると両者は分離される。
【００３５】
嵌合部４は、図３に示したように、ストッパ５の舌片５ａを囲む枠状に形成されているので、強固であり、櫛本体部材１に対する把持部材２の着脱を繰り返し行っても破損し難い。
【００３６】
また、嵌合部４は、枠状で一体化されているため、把持部材２の幅広面２ａと平行な平面において櫛本体部材１が把持部材２に対し、ぐらつくことが少ない。
【００３７】
【発明の効果】
請求項１に係る発明によれば、簡単に把持部材を櫛本体部材から取り外すことができる。
【００３８】
請求項２に係る発明によれば、請求項１に係る発明の効果を備え、さらに、櫛本体部材に対する把持部材の着脱を繰り返し行っても嵌合部が破損し難いし、把持部材に対する櫛本体部材のぐらつきを少なくすることができる。
【図面の簡単な説明】
【図１】本発明の実施の形態の櫛であって、櫛本体部材に把持部材を装着する前の状態を示す図。
【図２】図１に示した櫛であって、櫛本体部材に把持部材を装着した状態を示す図。
【図３】図１に示した櫛の櫛本体部材の詳細を示す図。
【図４】図１に示した櫛の把持部材の詳細を示す図。
【図５】図１に示した櫛の櫛本体部材に把持部材を装着する前のそれぞれの要部を示す図。
【図６】図１に示した櫛の櫛本体部材に対する把持部材の着脱を説明するための図。
【図７】図１に示した櫛を使用するときの通常の持ち方を説明するための図。
【図８】従来の櫛であって、櫛本体部材に把持部材を装着する前の状態を示す図。
【図９】図８に示した従来の櫛であって、櫛本体部材に把持部材を装着した状態を示す図。
【図１０】図８に示した従来の櫛を使用するときの通常の持ち方を説明するための図。
【図１１】図８に示した従来の櫛であって、櫛本体部材から把持部材を取り外すときの持ち方を説明するための図。
【符号の説明】
１  櫛本体部材
２  把持部材
４  嵌合部
５  ストッパ
７  受け部
８  押圧部
１０  係止部
【図１】
2004313581.tif 000003
【図２】
2004313581.tif 000004
【図３】
2004313581.tif 000005
【図４】
2004313581.tif 000006
【図５】
2004313581.tif 000007
【図６】
2004313581.tif 000008
【図７】
2004313581.tif 000009
【図８】
2004313581.tif 000010
【図９】
2004313581.tif 000011
【図１０】
2004313581.tif 000012
【図１１】
2004313581.tif 000013